(57)【要約】【課題】制御装置と複数の被制御装置がネットワーク接続された制御システムにおいて、複数の装置間で同作用を有する別機能の関連性がわかりにくいという問題があった。【解決手段】１つ以上の被制御装置とネットワーク接続された制御装置であって、装置一覧画面表示要求を取得する操作制御手段と、被制御装置の属性データを取得する通信制御手段と、取得した属性データを保持する第１保持手段と、制御装置の機能情報を保持する第２保持手段と、属性データ及び機能情報に基づいて同作用を有する別機能の存在を検出する判定手段と、判定手段が検出した別機能の存在を示す情報を付加した装置一覧画面を表示する表示制御手段と、装置一覧画面表示要求を取得した場合に、通信制御手段に属性データを取得させ、判定手段に同作用を有する別機能の存在を検出させ、表示制御手段に装置一覧画面を表示させる制御手段と、を具備する。【選択図】図２
2012099869.tif 000002
【特許請求の範囲】
【請求項１】
少なくとも１つ以上の被制御装置とネットワーク接続された制御装置であって、
ユーザが入力した装置一覧画面表示要求を取得する操作制御手段と、
前記ネットワークを介して前記被制御装置の属性データを取得する通信制御手段と、
前記通信制御手段が取得した前記属性データを保持する第１保持手段と、
前記制御装置の機能情報を保持する第２保持手段と、
前記第１保持手段が保持する前記属性データ及び前記第２保持手段が保持する前記機能情報に基づいて、同作用を有する別機能の存在を検出する判定手段と、
前記判定手段が検出した前記別機能の存在を示す情報を付加した装置一覧画面を表示する表示制御手段と、
前記操作制御手段が前記装置一覧画面表示要求を取得した場合に、前記通信制御手段に前記属性データを取得させるとともに、前記判定手段に同作用を有する別機能の存在を検出させ、前記表示制御手段に前記装置一覧画面を表示させる制御手段と、
を具備することを特徴とする制御装置。
【請求項２】
前記判定手段は、前記第１保持手段が保持する複数の前記属性データに基づいて、同作用を有する別機能の存在を検出することを特徴とする請求項１に記載の制御装置。
【請求項３】
前記制御装置の前記機能情報に含まれる所定機能の使用履歴を記憶する第３保持手段と、
前記第３保持手段が保持する前記使用履歴に基づいて、前記所定機能に対する抑制要求を出力する抑制手段と、を更に備え、
前記表示制御手段は、前記抑制手段から前記抑制要求が入力された場合に、前記判定手段が検出した前記別機能の存在を示す情報を前記装置一覧画面に表示しない、ことを特徴とする請求項１に記載の制御装置。
【請求項４】
少なくとも１つ以上の被制御装置とネットワーク接続された制御装置であって、
ユーザが入力した装置一覧画面表示要求を取得する操作制御手段と、
前記ネットワークを介して前記被制御装置の属性データを取得する通信制御手段と、
前記通信制御手段が取得した前記属性データを保持する第１保持手段と、
最終フォーカス位置情報を保持する第２保持手段と、
前記第１保持手段が保持する前記属性データ及び前記第２保持手段が保持する前記最終フォーカス情報に基づいて、フォーカスを移動するための操作回数が最も多い被制御装置を特定する特定手段と、
前記特定手段が特定した前記被制御装置を選択するためのショートカットキーを作成する作成手段と、
前記作成手段が作成した前記ショートカットキーを付加した装置一覧画面を表示する表示制御手段と、
前記操作制御手段が前記装置一覧画面表示要求を取得した場合に、前記通信制御手段に前記属性データを取得させるとともに、前記特定手段にフォーカスを移動するための操作回数が最も多い前記被制御他装置を特定させ、前記表示制御手段に前記装置一覧画面を表示させる制御手段と、
を具備することを特徴とする制御装置。
【請求項５】
少なくとも１つ以上の被制御装置とネットワーク接続された制御装置における制御方法であって、
ユーザが入力した装置一覧画面表示要求を取得するステップと、
前記ネットワークを介して前記被制御装置の属性データを取得して保持するステップと、
前記装置一覧画面を表示するステップと、
保持された前記属性データ及び前記制御装置の機能情報に基づいて、同作用を有する別機能の存在を検出するステップと、
検出された前記別機能の存在を示す情報を付加表示するステップと、
を有することを特徴とする制御方法。
【請求項６】
少なくとも１つ以上の被制御装置とネットワーク接続された制御装置における制御方法であって、
ユーザが入力した装置一覧画面表示要求を取得するステップと、
前記ネットワークを介して前記被制御装置の属性データを取得して保持するステップと、
前記装置一覧画面を表示するステップと、
保持された前記属性データ及び前記制御装置が保持する最終フォーカス情報に基づいて、フォーカスを移動するための操作回数が最も多い被制御装置を特定するステップと、
特定された前記被制御装置を選択するためのショートカットキーを作成するステップと、
作成された前記ショートカットキーを付加表示するステップと、
を有することを特徴とする制御方法。
【発明の詳細な説明】
【技術分野】
【０００１】
本発明は、制御装置及び制御方法に関し、更に詳しくは、複数の装置間に跨る同作用を有する別機能の存在をユーザに通知することが可能な制御装置及び制御方法に関する。
【背景技術】
【０００２】
従来、制御装置に接続された複数の被制御装置を識別表示し、更に複数の被制御装置に属する機能を同時に識別表示する情報処理装置がある（例えば、特許文献１参照）。この情報処理装置では、例えば、制御装置であるテレビと被制御装置となるＤＶＤレコーダーなどの録画装置をＩＥＥＥ１３９４やＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）などのネットワークで接続した状態で、接続された被制御装置の一覧を画面に表示している。
【０００３】
一方、図１２に示すように接続の有無に関わらず接続可能な被制御装置を全て画面に表示し、ユーザがリモコンを用いて選択作業を行える制御装置がある。この場合、接続可能な装置は楕円状に配置され、リモコンの左右キー操作により各被制御装置の表示位置は楕円に沿って移動する。図１２では左下の被制御装置にフォーカスが当たっており、フォーカスされ選択された被制御装置に対してリモコンの決定キーを押すなどの決定操作を行うことで被制御装置が持つ機能（例えば記録されている静止画や映像音声を再生する再生機能）を開始することができる。
【特許文献１】特開２００１−０６７１６３号公報
【発明の開示】
【発明が解決しようとする課題】
【０００４】
しかしながら、デジタル技術の発達に伴い被制御装置である録画装置では、記録した映像の再生手段を複数備えている。そのため、デジタルカメラやムービーなどの録画装置で記録した映像を制御装置であるテレビで再生する場合、１）ＨＤＭＩなどのネットワークに用いるケーブルでテレビと録画装置を直接接続し再生開始の制御をテレビからの制御信号により行う、２）録画装置が記録媒体として抜き差し可能なメモリカードを使用している場合、録画装置により映像を記録されたメモリカードをテレビに移動させた後、テレビ内での制御シーケンスに従い再生を開始する、といった複数の再生手段が存在する。そして、これらの複数の再生手段は、同作用を有するが複数の録画装置間では別機能として実装されていることがあり、夫々の装置で階層化されたメニューを別々に辿らなければこれらの同作用を有する別機能の存在を確認することができないという問題があった。つまり、ユーザは複数の被制御装置間で同作用を有する別機能の関連性がわかりにくいという問題があった。
【０００５】
また、テレビに同一のネットワーク経由で接続可能な被制御装置の種類が増えてきているため、制御を所望する被制御装置を決定するための操作回数が増加する傾向にある。このため特許文献１記載の情報処理装置のように実際にネットワークに接続されている被制御装置のみ表示したり、図１２の制御装置のように接続可能な装置をカテゴリに分類し、カテゴリ毎に被制御装置を選択できるようなインターフェースがあるが、いずれの場合も接続可能な被制御装置の増加により、選択に要する操作回数が増えていくという問題が依然残されたままであった。
【課題を解決するための手段】
【０００６】
本発明の制御装置は、少なくとも１つ以上の被制御装置とネットワーク接続された制御装置であって、ユーザが入力した装置一覧画面表示要求を取得する操作制御手段と、ネットワークを介して被制御装置の属性データを取得する通信制御手段と、通信制御手段が取得した属性データを保持する第１保持手段と、制御装置の機能情報を保持する第２保持手段と、第１保持手段が保持する属性データ及び第２保持手段が保持する機能情報に基づいて、同作用を有する別機能の存在を検出する判定手段と、判定手段が検出した別機能の存在を示す情報を付加した装置一覧画面を表示する表示制御手段と、操作制御手段が装置一覧画面表示要求を取得した場合に、通信制御手段に属性データを取得させるとともに、判定手段に同作用を有する別機能の存在を検出させ、表示制御手段に装置一覧画面を表示させる制御手段と、を具備することを特徴とする。
【０００７】
また、本発明の制御装置は、少なくとも１つ以上の被制御装置とネットワーク接続された制御装置であって、ユーザが入力した装置一覧画面表示要求を取得する操作制御手段と、ネットワークを介して被制御装置の属性データを取得する通信制御手段と、通信制御手段が取得した属性データを保持する第１保持手段と、最終フォーカス位置情報を保持する第２保持手段と、第１保持手段が保持する属性データ及び第２保持手段が保持する最終フォーカス情報に基づいて、フォーカスを移動するための操作回数が最も多い被制御装置を特定する特定手段と、特定手段が特定した被制御装置を選択するためのショートカットキーを作成する作成手段と、作成手段が作成したショートカットキーを付加した装置一覧画面を表示する表示制御手段と、操作制御手段が装置一覧画面表示要求を取得した場合に、通信制御手段に属性データを取得させるとともに、特定手段にフォーカスを移動するための操作回数が最も多い被制御他装置を特定させ、表示制御手段に装置一覧画面を表示させる制御手段と、を具備することを特徴とする。
【０００８】
以上の本発明により、宅内機器連携の増加に対してユーザの利便性を向上させることが可能となる。
【発明の効果】
【０００９】
本発明の第一の効果として、被制御装置の有する機能を利用しているユーザに対して、同様の作用を持つ別の機能の存在を知らせることで利便性の向上を図ることができる。
【００１０】
本発明の第二の効果として、制御装置に接続された複数の被制御装置の中から所望の被制御装置を選択して制御を開始するのに要する操作回数を少なくすることで制御装置の操作性の向上を図ることができる。
【発明を実施するための最良の形態】
【００１１】
以下、本発明の制御装置について図面を参照しながら説明する。
【００１２】
（実施の形態１）
図１は、本発明にかかる制御システムの全体構成を示す図である。制御システムでは、制御装置１０１と、被制御装置１（１０３）と、被制御装置２（１０４）と、被制御装置３（１０５）がネットワーク１０２により接続されており、制御装置１０１はネットワーク１０２を介して被制御装置１（１０３）から被制御装置３（１０５）を制御する。例えば、制御装置１０１としてテレビやＳＴＢ（セットトップボックス）、ネットワーク１０２としてＩＥＥＥ１３９４バスやＨＤＭＩ、被制御装置１から被制御装置３として光ディスクレコーダやデジタルスチルカメラ、デジタルビデオカメラ（以下、ムービー）などをそれぞれ挙げることができる。
【００１３】
図２は、本発明の実施の形態１にかかる制御装置１０１の構成を示すブロック図である。制御装置１０１はメモリカード２０５を挿抜可能なドライブ２０４を持ち、挿入されたメモリカード２０５に記録された静止画、音声および映像データを再生するメモリカード再生機能を有し、リモコン等の入力手段を介して入力されるユーザ要求を操作制御部２０２で受信し所定機能を実行する。
【００１４】
ここで、ネットワーク１０２に接続可能な被制御装置の一覧と夫々の被制御装置の接続状況を、映像音声出力部２１０を通じて表示する要求（装置一覧画面表示要求）が操作制御部２０２から入力された場合を説明する。操作制御部２０２から装置一覧画面表示要求を受けた内部制御部２０３は、通信制御部２０９に対してネットワーク１０２に接続されている被制御装置の有無および接続されている被制御装置の種別を含んだ属性データの取得を依頼する。ここで述べる種別とはデジタルスチルカメラやムービーといった括りでの情報とする。通信制御部２０９は、被制御装置１（１０３）の属性データを取得し、接続装置データ保持部２０６に保持する。内部制御部２０３は、画面表示に必要な構成データの作成依頼（画面作成要求）を接続装置判定部２０７および画面データ作成部２０８に対して行う。接続装置判定部２０７は、接続装置データ保持部２０６に保持されている属性データに含まれる機能情報及び記憶部２１１に予め記憶されている制御装置１０１が実行可能な機能情報から、接続されている被制御装置１（１０３）に対して制御装置１０１が実行可能な別機能が存在するか否かを判断し、存在する場合に、その通知メッセージ（同作用別機能通知）を画面データ作成部２０８に通知する。画面データ作成部２０８は、内部制御部２０３からの画面作成要求および接続装置判定部２０７からの同作用別機能通知に基づき画面表示用のデータを作成し、映像音声出力部２１０に出力して画面表示させる。
【００１５】
図３は上記の処理をフローチャートで示したものであり、図２において制御装置１０１をテレビ、ネットワーク１０２をＨＤＭＩ、被制御装置１（１０３）をムービーとして説明する。ユーザがテレビに対してＨＤＭＩに接続された被制御装置の一覧画面を表示する要求をした場合（ステップＳ３０１）、テレビは、ＨＤＭＩに接続されているムービーの種別などの属性データを取得する（ステップＳ３０２）。そして、取得した属性データに基づき装置一覧画面の表示用データを作成する（ステップＳ３０３）。ムービーが接続されている場合（ステップＳ３０４で「Ｙｅｓ」）、ムービーで記録した映像をテレビが有するメモリカード再生機能によって再生することが可能であるので、例えば、図４に示すように「メモリカードをテレビに移動させて再生することも可能です」といった同様の作用を持つ別機能の存在をユーザに知らせるメッセージを画面構成データとして作成し（ステップＳ３０５）、画面表示する（ステップＳ３０６）。これにより、ユーザはテレビの機能としてメモリカード再生機能があることに気づくことができる。なお、ステップＳ３０４での判断条件「ムービーが接続されているか？」は、例えばムービーの型番比較による判断条件であってもよい。
【００１６】
図５は、本発明の実施の形態１に係る別の制御装置５０１の構成を示すブロック図である。制御装置５０１は、被制御装置２（１０４）とネットワーク１０２を介して更に接続され、図２の制御装置１０１の構成に加え、記録媒体判定部５０２を有する。また通信制御部２０９はネットワーク１０２に接続された被制御装置の種別に加えて、属性データとして被制御装置での記録機能の有無や記録媒体などの詳細情報を取得できるよう拡張されている。記録媒体判定部５０２は被制御装置１（１０３）が使用する記録媒体が被制御装置２（１０４）が使用する記録媒体と一致する場合に、画面データ作成部２０８に対して同作用別機能通知を行う。画面データ作成部２０８は接続装置判定部２０７からの同作用別機能通知（制御装置５０１と被制御装置が同作用を有する別機能を持つ）および記録媒体判定部５０２からの同作用別機能通知（被制御装置間で同作用を有する別機能を持つ）に基づき、ユーザへの通知メッセージの発行を行うかどうかを判断する。
【００１７】
図６は上記の処理のフローチャートである。図５において制御装置５０１をテレビ、ネットワーク１０２をＨＤＭＩ、被制御装置１（１０３）をメモリカードで記録できるムービー、被制御装置２（１０４）を据え置き型の光ディスクプレーヤーとして説明する。ユーザがテレビに対してＨＤＭＩに接続された被制御装置の一覧画面を表示する要求をした場合（ステップＳ６０１）、テレビは、ＨＤＭＩに接続されている被制御装置の種別と記録媒体の情報などの詳細情報を含む属性データを取得する（ステップＳ６０２）。そして、取得した属性データに基づき装置一覧画面の表示用データを作成する（ステップＳ６０３）。ムービーが接続されている場合（ステップＳ６０４で「有」）、ムービーがメモリカードを記録媒体としているか否かを判断し（ステップＳ６０５）、ムービーがメモリカードを記録媒体としている場合（ステップＳ６０５で「メモリカード」）、ムービーで記録した映像をテレビが有するメモリカード再生機能によって再生することが可能であるので、「メモリカードをテレビに移動させて再生することも可能です」といった同様の作用を持つ機能をユーザに知らせるメッセージを追加する（ステップＳ６０６）。そして、作成された画面データを画面に表示する（ステップＳ６０９）ことにより、ユーザはテレビの機能としてメモリカード再生機能があることに気づくことができる。
【００１８】
また、被制御装置１（１０３）を光ディスクで記録できるムービーに置き換えた場合には（ステップＳ６０５で「光ディスク」）、ムービーで記録した映像を光ディスク再生機能を有する光ディスクプレーヤーによって再生することが可能であるので、「光ディスクを光ディスクプレーヤーに移動させて再生することも可能です」といった同様の作用を持つ機能の装置の存在をユーザに知らせるメッセージを追加する（ステップＳ６０８）。そして、上記と同様に、作成された画面データを画面に表示する（ステップＳ６０９）ことにより、ユーザは既にＨＤＭＩ接続されている光ディスクプレーヤーを利用することで、ムービーとテレビをＨＤＭＩ接続する手間をかけずに再生できることに気づくことができる。
【００１９】
図７は、本発明の実施の形態１にかかる更に別の制御装置制御装置７０１の構成を示すブロック図である。制御装置７０１は、図２の制御装置１０１の構成に加えてメモリカード使用履歴記録部７０３、履歴確認部７０４を有する。また被制御装置１（７０２）はメモリカード２０５を使用する装置であり、被制御装置１（７０２）におけるメモリカード再生機能は、制御装置７０１でのメモリカード再生機能と同様の作用を有する。制御装置７０１では、メモリカード２０５に含まれるデータをドライブ２０４で使用した場合に、その履歴をメモリカード使用履歴記録部７０３に記録する。この情報はメモリカード２０５がドライブ２０４から抜かれた後も保持される。装置一覧表示用の画面データ作成時には、履歴確認部７０４はメモリカード使用履歴記録部７０３に記録されているデータを参照し、使用履歴がある場合には画面データ作成部２０８に対して通知メッセージの抑制要求を発行する。画面データ作成部２０８は接続装置判定部２０７からを同作用別機能通知が入力された場合でも、抑制要求がある場合には既にユーザが、制御装置７０１が被制御装置１（７０２）と同等の作用を持つ機能の存在を知っているものとして通知メッセージ無しの画面表示を行うことで、過剰な情報表示を防ぐことができる。
【００２０】
また上記処理においてムービーがメモリカード２０５に記録を行う際に、ムービーが保有する固有情報、すなわち機種名やＭＡＣアドレスなどを独自ファイルとして同時に記録し、メモリカード２０５をテレビのメモリカードドライブ２０４に移動した時にメモリカード２０５内にある独自ファイルを制御装置７０１にコピーしておき、画面データ作成時にネットワーク１０２経由で取得できる接続装置の固有情報と照合し、一致するデータが存在する場合のみに通知メッセージの抑制を行うことも可能である。
【００２１】
図８は上記処理のフローチャートである。図７において制御装置７０１をテレビ、ネットワーク１０２をＨＤＭＩ、被制御装置１（７０２）をメモリカード２０５で記録できるムービーとして説明する。ユーザがテレビに対してＨＤＭＩに接続された被制御装置の一覧画面を表示する要求をした場合（ステップＳ８０１）、図３、図６のフローチャートと同様に画面データの作成を行う（ステップＳ８０２、ステップＳ８０３）。ＨＤＭＩにムービーが接続されている場合（ステップＳ８０４で「有」）、メモリカード再生履歴を確認する（ステップＳ８０５）。再生の履歴がない場合には（ステップＳ８０５で「無」）、「メモリカードをテレビに移動させて再生することも可能です」といった同様の作用を持つ機能をユーザに知らせるメッセージを追加して画面表示する（ステップＳ８０６、ステップＳ８０７）。一方、再生履歴がある場合には（ステップＳ８０５で「有」）ユーザが既にメモリカード２０５での再生機能を知っているものと見做してメッセージを表示せずに装置一覧画面を表示する（ステップＳ８０７）ことにより、ユーザに対する過剰な情報提供を抑制する。
【００２２】
なお、通知メッセージは、アイコンや音声などユーザに情報を伝達する手段全てを含む。
【００２３】
また、本実施の形態では、通知メッセージとして被制御装置使用時に制御装置内部又は／及び被制御装置の同作用を有する別機能の存在を通知する仕組みを挙げているが、逆に制御装置内部の機能を使用している時に被制御装置で同等の作用を持つ別機能をユーザに通知することも可能である。
【００２４】
（実施の形態２）
図９は、本発明の実施の形態２にかかる制御装置９０１の構成を示すブロック図である。制御装置９０１は、ネットワーク１０２を介して被制御装置１（１０３）、被制御装置２（１０４）及び被制御装置３（１０５）と接続されている。操作制御部２０２は、ユーザからの要求をリモコン信号として受信し、必要な指示を内部制御部２０３に対して行う。ここではネットワーク１０２に接続されている被制御装置の一覧を、映像音声出力部２１０を通じて表示する要求（装置一覧画面表示要求）があった場合を説明する。装置一覧画面表示要求を受けた内部制御部２０３は、通信制御部２０９に対してネットワーク１０２に接続されている被制御装置の有無および接続されている被制御装置の種別を含んだ属性データの取得を依頼し、取得した属性データを接続装置データ保持部２０６に保持する。ここで述べる種別とはデジタルスチルカメラやムービーといった括りでの情報とする。内部制御部２０３は、画面表示に必要な構成データの作成依頼（画面作成要求）を接続装置判定部９０２および画面データ作成部９０３に対して行う。接続装置判定部９０２は接続装置データ保持部２０６に保管されている属性データから、一覧表示開始時にフォーカスを当てる被制御装置１（１０３）とフォーカス位置から最も離れた、すなわちフォーカスが当たる状態になるまでに要する操作回数が最も多い被制御装置３（１０５）を決定する。画面データ作成部９０３は、接続装置判定部９０２の決定に基づき最も離れた被制御装置３（１０５）に対してショートカットキーを定義し、ショートカットキーを使用するための操作方法を画面データに追加し、映像音声出力部２１０を通じて画面表示を行う。接続装置判定部９０２での処理は別の条件、例えば特定の種類の被制御装置が接続された場合に、その装置を対象としたショートカットキーを割り当てる、といった条件を使用することも可能である。
【００２５】
図１０は上記の処理のフローチャートである。図９において制御装置９０１をテレビ、ネットワーク１０２をＨＤＭＩ、被制御装置１（１０３）、被制御装置２（１０４）をＤＶＤレコーダー、被制御装置３（１０５）をムービーとして説明する。テレビの装置一覧画面では装置選択の第一候補を前回ＨＤＭＩ使用時に最後に使用した装置とする、という仕様とする。
【００２６】
テレビと常時接続されているＤＶＤレコーダーを使用した後に、ムービーをＨＤＭＩに追加接続して装置一覧画面を再表示しようとすると、フォーカスはＤＶＤレコーダーに当てられてしまい、ユーザが本来使用したいはずのムービーを選択できるまで複数回のリモコン操作が必要になってしまう。こうしたケースでは、ＨＤＭＩに随時接続のムービーに対してショートカットキー（例えばデジタルテレビのリモコンにある赤ボタンを割当てる）を用意することで、より少ない操作で所望の装置を選択できるようにする。
【００２７】
ユーザがテレビに対してＨＤＭＩに接続された装置の一覧画面を表示する要求をした場合（ステップＳ１００１）、ＨＤＭＩに接続されている被制御機器の情報を取得後（ステップＳ１００２）、画面データの作成を行う（ステップＳ１００３）。ＨＤＭＩにムービーが接続されている場合（ステップＳ１００４で「Ｙｅｓ」）、図１１に示すように「赤ボタン押下げでムービー再生開始できます」などのショートカットキーの通知メッセージを画面データに追加し（ステップＳ１００５）、装置一覧画面を表示する（ステップＳ１００６）。
【００２８】
なお、赤ボタンキーを押した時の動作としては、ムービーにフォーカスを当てて装置一覧画面を再表示する、もしくはムービーからの再生を開始する、などが挙げられる。
【産業上の利用可能性】
【００２９】
本発明の制御装置は、複雑になっていく操作性に対して、ユーザが利用できる機能を事前に推薦する機能を備え、かつ所望の機能選択までの操作回数を減らすことができるので、多機能な装置を複数接続した環境で有用である。
【図面の簡単な説明】
【００３０】
【図１】本発明にかかる制御システムの全体構成を示す図
【図２】本発明の実施の形態１にかかる制御装置の構成を示すブロック図
【図３】同実施の形態にかかる制御装置の制御を示すフローチャート
【図４】同実施の形態にかかる画面例を示す図
【図５】同実施の形態にかかる別の制御装置の構成を示すブロック図
【図６】同実施の形態にかかる別の制御装置の制御を示すフローチャート
【図７】同実施の形態にかかる更に別の制御装置の構成を示すブロック図
【図８】同実施の形態にかかる更に別の制御装置の制御を示すフローチャート
【図９】本発明の実施の形態２にかかる制御装置の構成を示すブロック図
【図１０】同実施の形態にかかる制御装置の制御を示すフローチャート
【図１１】同実施の形態にかかる画面例を示す図
【図１２】従来の画面例を示す図
【符号の説明】
【００３１】
１０１、２０１、５０１、７０１、９０１    制御装置
１０２    ネットワーク
１０３、７０２    被制御装置１
１０４    被制御装置２
１０５    被制御装置３
２０２    操作制御部
２０３    内部制御部
２０４    ドライブ
２０５    メモリカード
２０６    接続装置データ保持部
２０７、９０２    接続装置判定部
２０８、９０３    画面データ作成部
２０９    通信制御部
２１０    映像音声出力部
２１１    記憶部
５０２    記録媒体判定部
７０３    メモリカード使用履歴記録部
７０４    履歴確認部
【図１】
2012099869.tif 000003
【図２】
2012099869.tif 000004
【図３】
2012099869.tif 000005
【図５】
2012099869.tif 000006
【図６】
2012099869.tif 000007
【図７】
2012099869.tif 000008
【図８】
2012099869.tif 000009
【図９】
2012099869.tif 000010
【図１０】
2012099869.tif 000011
【図４】
2012099869.tif 000012
【図１１】
2012099869.tif 000013
【図１２】
2012099869.tif 000014